(57)【要約】      （修正有）【課題】ダムや貯水池、溜池、湖など水中の清掃や探索などに、船などで適宜な位置で清掃、探索を容易にした水中照明装置を提供する。【解決手段】本考案の水中照明装置２は、船体から水中を照らす照明装置を構成する照明装置本体３と、この照明装置本体３の水平方向の少なくとも周囲に向けて複数配置された光源４（４ａ）と、さらに船体から上下方向に水中で照明する深さを調整するために船体側に設けられた係止部を有し、照明装置本体３の上部に取り付けられる照明位置固定部材６から構成する。【選択図】図２
0003219147.tif 000002
【実用新案登録請求の範囲】
【請求項１】
船体から水中を照らす照明装置を構成する照明装置本体と、この照明装置本体の水平方向の少なくとも周囲に向けて複数配置された光源と、さらに前記船体から上下方向に水中で照明する深さを調整するために船体側に設けられた係止部を有し、前記照明装置本体の上部に取り付けられる照明位置固定部材からなることを特徴とする水中照明装置。
【請求項２】
前記照明位置固定部材は、船体側に設けられた係止部で一時固定部により固定可能にされ、前記照明装置本体の上部に取り付けられる棒状の部材で構成されたことを特徴とする前記請求項１記載の水中照明装置。
【請求項３】
前記照明位置固定部材は、船体側に設けられた係止部で一時固定部により固定可能にされ、前記照明装置本体の上部に取り付けられるワイヤ状の部材で構成されたことを特徴とする前記請求項１記載の水中照明装置。
【請求項４】
前記光源は、前記照明装置本体の水平方向以外に、前記本体照明装置本体の下面側にも配置されてなることを特徴とする前記請求項１乃至３の少なくとも１項に記載の水中照明装置。
【請求項５】
前記光源は、ＬＥＤで構成されたことを特徴とする前記請求項１乃至４の少なくとも１項に記載の水中照明装置。
【請求項６】
前記照明装置本体の周囲にバルーン状又はドーナツ状のカバーを配置したことを特徴とする前記請求項１乃至５の少なくとも１項に記載の水中照明装置。
【考案の詳細な説明】
【技術分野】
【０００１】  本考案は、水中を清掃したり、捜索等を行う際に使用する水中照明装置に関するものである。
【背景技術】
【０００２】  従来、ダム、溜池、あるいは湖面など水面を清掃する場合、特許文献１に示すような水面清掃船が開示されている。それによると、袋状になる網の先端開口部面に円形又は多角形の芥収納網と、枠体と係合し、芥収納網の先端開口面を船体の進行方向に対向するように、船体の両側面に第２の枠体を設置し、芥収納網の枠体と、船体に設けた第２の枠体を係合する係合手段を設け、芥集収の際に船体の両側に設置した一対の芥収納網で船体を進行させ水面を清掃するようにしたものが開示されている。【０００３】  その際に、水面清掃を行う前や、清掃後に水中の中も点検しておく必要がある。このような場合に効率よく水中を照らす照明装置が必要になる。例えば、水中で照らして、水中内で作業するときに、撮影する装置と共に、水中を照らす照明装置を備えた水中作業用撮像装置（特許文献２）が開示され、使用されている。【０００４】  また、水面の清掃や、水中での作業などあるいは、事故や災害時に水中を捜索したりすることが発生するが、人手を介して照明装置を移動させる事は非常に大変であり、船等を利用して、所定位置で水中などを照らすものが必要となっている。【０００５】  特許文献２に示された水中作業用撮像装置などのようにスタンド型の照明装置設けられたものも使用することも考えられるがダム、溜池、あるいは湖など水中が深かったり、凹凸があったりして、あまり適さない場合が多く適したものがなかった。
【先行技術文献】
【特許文献】
【０００６】
【特許文献１】特開２０１７−２２６４０３号公報
【特許文献２】特開平８−２１６９８４号公報
【考案の概要】
【考案が解決しようとする課題】
【０００７】  そこで本願考案で解決しようとする問題点は、ダム、溜池、あるいは湖面など水面を清掃する以外に、事前調査や捜索するなどの場合、適度な深度を照明し、効率よく作業ができるような水中照明装置を提供すること目的とした。
【課題を解決するための手段】
【０００８】  この問題を解決するため、本考案の請求項１における水中照明装置は、船体から水中を照らす照明装置を構成する照明装置本体と、この照明装置本体の水平方向の少なくとも周囲に向けて複数配置された光源と、さらに前記船体から上下方向に水中で照明する深さを調整するために船体側に設けられた係止部を有し、前記照明装置本体の上部に取り付けられる照明位置固定部材からなる構成とした。【０００９】  請求項２では、前記照明位置固定部材は、船体側に設けられた係止部で一時固定部により固定可能にされ、前記照明装置本体の上部に取り付けられる棒状の部材で構成している。【００１０】  請求項３では、前記照明位置固定部材は、船体側に設けられた係止部で一時固定部により固定可能にされ、前記照明装置本体の上部に取り付けられるワイヤ状の部材で構成しているものである。【００１１】  さらに請求項４において前記光源は、前記照明装置本体の水平方向以外に、前記本体照明装置本体の下面側にも配置されてなることを特徴とする。【００１２】  請求項５において前記光源は、ＬＥＤで構成された実施例を示している。【００１３】  請求項６では、前記照明装置本体の周囲にバルーン状又はドーナツ状のカバーを配置し、ＬＥＤの光源の眩しさを解消した。
【考案の効果】
【００１４】  これにより、水中での作業において一定の深度で照明でき、また船で移動しながら効率よく作業が行える。
【図面の簡単な説明】
【００１５】
【図１】本考案の一実施例を示す水中照明装置の使用状態説明図。
【図２】本考案の一実施例を示す水中照明装置本体における側面説明図。
【図３】本考案の一実施例を示す水中照明装置本体における底面説明図。
【図４】本考案の一実施例を示す水中照明装置の取付け使用状態説明図。
【図５】本考案の一実施例を示す水中照明装置の他の実施例説明図。
【考案を実施するための形態】
【００１６】  次に、図面に基づいて本考案を詳細に説明する。図１乃至図３は、本考案の特許請求項１に示されるように、水中照明装置２を構成する照明装置本体３と、この照明装置本体３の水平方向の少なくとも周囲に向けて複数配置された光源４を設けており、具体的には、図３の底面説明図でもわかるように照明装置本体３は、六角柱の筐体で構成され、それぞれの面に内部に６個のＬＥＤ制御基板１１とＬＥＤの光源４ａが設けられ、透明の窓を設けた防水カバー９を介して、光が照射されるように密閉状態で配置されている。
【００１７】  また、照明装置本体３が水中で浮遊物や、岩や壁などにぶつかったり、挟まれたりした時に損傷を押さえるために、防水カバー９の間には、多数のゴム脚１０を配置している。このゴム脚１０は、照明装置本体３の下面側、光源４ｂの周囲にも複数設けられて、不用意に下降させたり、作業中に浮遊物や岩、壁などに接触した時の損傷を最小限になるよう押さえている。
【００１８】  さらに前記船体１から上下方向に水中で照明する深さを調整するために船体側に設けられた係止部５を有し、前記照明装置本体３の上部に取り付けられる照明位置固定部材６からなる構成とした。特に理想的な実施例（請求項２記載の）としてこの照明位置固定部材６は、棒状の部材で構成されるのが望ましい。
【００１９】  この棒状の部材６は、図４に示されるように、船体１に固定するブラケット１４及びこのブラケットに固定された固定バー１２、そしてこの固定バー１２の先端に設けられた係止部５を介して固定されるが、それぞれ固定ネジ１３を締めることで、固定されるようになっている。棒状の部材６には、上部にネジで固定されるストッパ１６が設けられて、不用意に係止部から抜け落ちないようになっている。
【００２０】  また、請求項４において示されているように前記光源４は、前記照明装置本体３の水平方向に設けた光源４ａ以外に、前記照明装置本体３の下面側にも光源４ｂが配置されてなる。こうすることで、水中照明装置２を降ろしていくとき、不用意に下げすぎによる水中照明装置破損防止、またさらに作業中、作業員の足元を確実に証明でき作業効率を向上させることができる。
【００２１】  ここで光源４ａや４ｂとして採用したものはＬＥＤで構成している。これは、ＬＥＤのエネルギー効率が良いのと、密閉した筐体内部で点灯しても、水中で使用することで筐体の水冷状態を保つことができ、設計上無理のない水中照明装置２が提供できる。
【００２２】  また、考案では、図５及び請求項６に示したように照明装置本体２の周囲にバルーン状のカバー１５を配置した実施例を提案している。これは、水中であっても光源４ａが眩しい場合を解消し、作業効率を向上させている。
【００２３】  照明装置本体３は、使用にあたって、図４に示したように棒状の位置固定部材６（６ａ）を上部に位置させ、照明装置本体３を水中に潜らせずに船体１を走行し、必要な位置で、係止部５の固定ネジ１３を緩めて、位置固定部材６の係止部５の固定位置を調整し、必要な場所で係止部５の固定ネジ１３を締めて固定する。このようにして、船体１から一定の深度に照明装置本体３を位置させて証明できるので、効率よく水中内での作業ができるようになる。
【００２４】  尚、本考案の実施例において、位置固定部材６を棒状の部材で構成する以外に、請求項３で示したように、ワイヤで構成することもできる。これは、水中における環境として岩が多かったりして障害物が多数存在する場合は、棒状の位置固定部材６を使用するよりもワイヤ状のものを使用するほうが効率が良い場合があるからである。
【００２５】  その際は、位置固定部材６を棒状の部材を照明装置本体３から外し、ワイヤに替えて使用する。係止部５における固定は、棒状の部材と同様に固定ネジ１３の締付け、緩めで簡単に固定できるようになっている。
【産業上の利用可能性】
【００２６】  本考案の水中照明装置は、水中内を動き回る照明装置を使用せず、経済的なものが提供できる。特に、嵐や自然災害時の後など、ダムの水面や湖面が汚れたときの清掃や、災害時や事故などでの捜索や調査など迅速に対応しなくてはならない場合でも、手軽に作業が行え、社会的に有用、有益な考案として万全の備えが確立できる。
【符号の説明】
【００２７】  １…船体
２…照明装置
３…照明装置本体（筐体）
４（４ａ）（４ｂ）…光源
５…係止部
６…照明装置固定部材
７…照明カバー
８…電源コード
９…防水カバー
１０…ゴム脚
１１…ＬＥＤ制御基板
１２…固定バー
１３…固定ネジ
１４…ブラケット
【図１】
0003219147.tif 000003
【図２】
0003219147.tif 000004
【図３】
0003219147.tif 000005
【図４】
0003219147.tif 000006
【図６】
0003219147.tif 000007
【手続補正書】
【提出日】平成30年9月14日(2018.9.14)
【手続補正１】
【補正対象書類名】実用新案登録請求の範囲
【補正対象項目名】全文
【補正方法】変更
【補正の内容】
【実用新案登録請求の範囲】
【請求項１】
船体から水中を照らす照明装置を構成する照明装置本体と、この照明装置本体の水平方向の少なくとも周囲に向けて複数配置された光源と、さらに前記船体から上下方向に水中で照明する深さを調整するために船体側に設けられた係止部を有し、前記照明装置本体の上部に取り付けられる照明位置固定部材からなることを特徴とする水中照明装置。
【請求項２】
前記照明位置固定部材は、船体側に設けられた係止部で一時固定部により固定可能にされ、前記照明装置本体の上部に取り付けられる棒状の部材で構成されたことを特徴とする前記請求項１記載の水中照明装置。
【請求項３】
前記照明位置固定部材は、船体側に設けられた係止部で一時固定部により固定可能にされ、前記照明装置本体の上部に取り付けられるワイヤ状の部材で構成されたことを特徴とする前記請求項１記載の水中照明装置。
【請求項４】
前記光源は、前記照明装置本体の水平方向以外に、前記照明装置本体の下面側にも配置されてなることを特徴とする請求項１乃至３のいずれか１項に記載の水中照明装置。
【請求項５】
前記光源は、ＬＥＤで構成されたことを特徴とする請求項１乃至４のいずれか１項に記載の水中照明装置。
【請求項６】
前記照明装置本体の周囲にバルーン状又はドーナツ状のカバーを配置したことを特徴とする請求項１乃至５のいずれか１項に記載の水中照明装置。
【手続補正２】
【補正対象書類名】図面
【補正対象項目名】全図
【補正方法】変更
【補正の内容】
【図１】
0003219147.tif 000008
【図２】
0003219147.tif 000009
【図３】
0003219147.tif 000010
【図４】
0003219147.tif 000011
【図５】
0003219147.tif 000012